(57)【要約】【課題】清掃手段とロープとの接触面積を大きくして清掃面積を大きくすることができ、これにより、ロープの清掃効率が高められ、ロープを清掃する時間を短くすることができるロープ清掃治具を提供する。【解決手段】ロープ清掃治具２２は、昇降路４１内を昇降するエレベータの乗りかご４２に連結されたロープ２１を清掃するものである。このロープ清掃治具２２は、昇降路内壁４１ａ、または昇降路４１内の固定構造物に固定された治具本体２９を備えている。また、治具本体２９に、それぞれがロープ２１に接触してロープ２１を清掃する少なくとも３つの清掃手段２３が放射状に取り付けられている。【選択図】図１
2008110829.tif 000002
【特許請求の範囲】
【請求項１】
昇降路内を昇降するエレベータの乗りかごに連結されたロープを清掃するロープ清掃治具において、
前記昇降路内壁、または前記昇降路内の固定構造物に固定された治具本体と、
前記治具本体に放射状に取り付けられ、それぞれが前記ロープに接触して前記ロープを清掃する少なくとも３つの清掃手段と、を備えたことを特徴とするロープ清掃治具。
【請求項２】
前記治具本体は、前記昇降路内壁、または前記昇降路内の固定構造物に固定されたブラケット取付部材と、前記ブラケット取付部材に取り付けられ、少なくとも一対の前記清掃手段が固定された固定ブラケットとを有し、
前記固定ブラケットは、前記ブラケット取付部材に対して距離調整機構を介して移動可能に取り付けられ、これにより一対の清掃手段と前記ロープとの間の距離を調整可能としたことを特徴とする請求項１に記載のロープ清掃治具。
【請求項３】
前記清掃手段は、鋼線からなる毛材と、前記毛材をかしめて固定する鋼板とを有するブラシからなることを特徴とする請求項１または２に記載のロープ清掃治具。
【請求項４】
前記清掃手段は、前記固定ブラケットに前記清掃手段を挟み込む締結部材を介して突出自在に固定されていることを特徴とする請求項２または３に記載のロープ清掃治具。
【請求項５】
前記清掃手段の上下方向の少なくとも一方に配置された状態で前記治具本体に固定され、前記ロープの直径に対応する大きさの穴を有するグリース屑除去機構を更に備え、
前記グリース屑除去機構は、前記穴内を通過する前記ロープに摺接して前記ロープのグリース屑を除去することを特徴とする請求項１乃至４のいずれかに記載のロープ清掃治具。
【請求項６】
前記グリース屑除去機構は、合成樹脂からなる一対の単位グリース屑除去部材を有し、各単位グリース屑除去部材は、前記ロープに摺接する箇所において互いに重なり合う突出部を有することを特徴とする請求項５に記載のロープ清掃治具。
【請求項７】
前記一対の単位グリース屑除去部材は、それぞれＵ字状切欠部を有し、前記一対の単位グリース屑除去部材は、互いにＵ字状切欠部を向い合わせて配置されていることを特徴とする請求項６に記載のロープ清掃治具。
【請求項８】
前記治具本体は、前記ロープの上下方向に沿って複数多段に設けられ、
各治具本体は、放射状に取り付けられ、それぞれが前記ロープに接触して前記ロープを清掃する少なくとも３つの清掃手段を有していることを特徴とする請求項１乃至７のいずれかに記載のロープ清掃治具。
【請求項９】
前記ロープは、ガバナロープからなり、前記治具本体は、ガバナロープに連結されたガバナ本体からなる固定構造物に取り付けられていることを特徴とする請求項１乃至８のいずれかに記載のロープ清掃治具。
【請求項１０】
前記治具本体は、乗りかご用ガイドレールからなる固定構造物に取り付けられていることを特徴とする請求項１乃至８のいずれかに記載のロープ清掃治具。
【発明の詳細な説明】
【技術分野】
【０００１】
本発明は、エレベータの乗りかごに連結されたロープを清掃するロープ清掃治具に係り、とりわけエレベータのロープに付着した塵埃や、固着したグリース屑を効率良く清掃することができるロープ清掃治具に関する。
【背景技術】
【０００２】
エレベータの乗りかごに連結されたロープは、一般に麻心や樹脂製の心綱に鋼線を巻いたワイヤロープからなっており、このワイヤロープに防錆や摩耗防止のためのグリースを塗布して使用される。しかしながら、ある程度時間が経過した後、このロープに塵埃が付着したり、グリースが固着したりする。
【０００３】
仮に、このような塵埃やグリース屑がロープが巻き付けられる各シーブに付着すると、乗りかごに振動や騒音が発生するという不具合が生じ、あるいはエレベータが故障するおそれがある。このため、エレベータのメンテナンスの際など、定期的にロープを清掃する必要がある。しかしながら、ロープを清掃する作業に長い時間を要するため、ロープを清掃する作業に多くのコストがかかり、またロープの清掃中はエレベータの運行を止める必要があるため、利用者へのメンテナンスサービスが低下するおそれがある。
【０００４】
このような課題を解決する方法として、例えば特許文献１に示すエレベータロープのメンテナンス装置が知られている。図１１を参照して、このエレベータロープのメンテナンス装置を簡単に説明する。
【０００５】
図１１において、メンテナンス装置２は、エレベータ構成体３に固定される支持台４と、ロープ本体１の移動方向に沿って延在され且つ前記ロープ本体１が間に位置するように対向配置された一対の清掃体５、５と、前記支持台４に設けられて、前記一対の清掃体５を前記ロープ本体１に摺接させるように互いに接近する方向に付勢する付勢部材６とを備えている。これにより、ロープ本体１に付着した塵埃等を除去するようになっている。
【特許文献１】特開２００３−２３８０５０号公報
【発明の開示】
【発明が解決しようとする課題】
【０００６】
上述したメンテナンス装置２において、対向して配置された一対の清掃体５、５（ブラシ）がロープ本体１を清掃する。このため、ロープ本体１のうち、清掃体５、５（ブラシ）が配置される方向と直交した側に存在するグリース屑を十分に除去することができない。また、清掃体５、５（ブラシ）の背面に付勢部材６が設けられているため、清掃の際に清掃体５、５（ブラシ）に目詰まりが生じた場合、清掃体５、５（ブラシ）を交換する作業に時間を要する。さらに、清掃体５、５（ブラシ）により除去された塵埃等は、ロープ本体１の進行方向にあるロープ本体１に再付着することがあるため、効率的にロープ本体１を清掃することがむずかしい。
【０００７】
本発明はこのような点を考慮してなされたものであり、少なくとも３つの清掃手段が治具本体に放射状に取り付けられ、それぞれがロープに接触してこのロープを清掃するので、清掃手段とロープとの接触面積を大きくして清掃面積を大きくすることができ、ロープの清掃効率が高められ、かつロープを清掃する時間を短くすることができるロープ清掃治具を提供することを目的とする。
【課題を解決するための手段】
【０００８】
本発明は、昇降路内を昇降するエレベータの乗りかごに連結されたロープを清掃するロープ清掃治具において、前記昇降路内壁、または前記昇降路内の固定構造物に固定された治具本体と、前記治具本体に放射状に取り付けられ、それぞれが前記ロープに接触して前記ロープを清掃する少なくとも３つの清掃手段と、を備えたことを特徴とするロープ清掃治具である。
【０００９】
本発明は、前記治具本体は、前記昇降路内壁、または前記昇降路内の固定構造物に固定されたブラケット取付部材と、前記ブラケット取付部材に取り付けられ、少なくとも一対の前記清掃手段が固定された固定ブラケットとを有し、前記固定ブラケットは、前記ブラケット取付部材に対して距離調整機構を介して移動可能に取り付けられ、これにより一対の清掃手段と前記ロープとの間の距離を調整可能としたことを特徴とするロープ清掃治具である。
【００１０】
本発明は、前記清掃手段は、鋼線からなる毛材と、前記毛材をかしめて固定する鋼板とを有するブラシからなることを特徴とするロープ清掃治具である。
【００１１】
本発明は、前記清掃手段は、前記固定ブラケットに前記清掃手段を挟み込む締結部材を介して突出自在に固定されていることを特徴とするロープ清掃治具である。
【００１２】
本発明は、前記清掃手段の上下方向の少なくとも一方に配置された状態で前記治具本体に固定され、前記ロープの直径に対応する大きさの穴を有するグリース屑除去機構を更に備え、前記グリース屑除去機構は、前記穴内を通過する前記ロープに摺接して前記ロープのグリース屑を除去することを特徴とするロープ清掃治具である。
【００１３】
本発明は、前記グリース屑除去機構は、合成樹脂からなる一対の単位グリース屑除去部材を有し、各単位グリース屑除去部材は、前記ロープに摺接する箇所において互いに重なり合う突出部を有することを特徴とするロープ清掃治具である。
【００１４】
本発明は、前記一対の単位グリース屑除去部材は、それぞれＵ字状切欠部を有し、前記一対の単位グリース屑除去部材は、互いにＵ字状切欠部を向い合わせて配置されていることを特徴とするロープ清掃治具である。
【００１５】
本発明は、前記治具本体は、前記ロープの上下方向に沿って複数多段に設けられ、各治具本体は、放射状に取り付けられ、それぞれが前記ロープに接触して前記ロープを清掃する少なくとも３つの清掃手段を有していることを特徴とするロープ清掃治具である。
【００１６】
本発明は、前記ロープは、ガバナロープからなり、前記治具本体は、ガバナロープに連結されたガバナ本体からなる固定構造物に取り付けられていることを特徴とするロープ清掃治具である。
【００１７】
本発明は、前記治具本体は、乗りかご用ガイドレールからなる固定構造物に取り付けられていることを特徴とするロープ清掃治具である。
【００１８】
本発明によれば、少なくとも３つの清掃手段が治具本体に放射状に取り付けられ、それぞれがロープに接触してロープを清掃するので、清掃手段とロープとの接触面積を大きくして清掃面積を大きくすることができ、これにより、ロープの清掃効率が高められるとともに清掃時間を短くすることができる。
【００１９】
また、本発明によれば、固定ブラケットとロープとの間の距離を距離調整機構により調整することにより、清掃手段とロープとの間の距離を調整することができる。
【００２０】
さらに、本発明によれば、清掃手段は、固定ブラケットに清掃手段を挟み込む締結部材を介して固定されているので、清掃手段の脱着や調整を容易に行うことができる。
【００２１】
さらにまた、本発明によれば、グリース屑除去機構により、清掃手段により除去されたグリース屑がロープに再付着することを防止することができる。
【００２２】
さらにまた、本発明によれば、グリース屑除去機構は、合成樹脂からなる一対の単位グリース屑除去部材を有し、各単位グリース屑除去部材は、ロープに摺接する箇所において互いに重なり合う突出部を有するので、グリース屑除去機構の穴内をグリース屑が通過することを大幅に減少させることができる。
【００２３】
さらにまた、本発明によれば、グリース屑除去機構により、清掃手段により除去されたグリース屑がロープに再付着することを防止することができる。
【００２４】
さらにまた、本発明によれば、治具本体は、ロープの上下方向に沿って複数多段に設けられていることにより、ロープの清掃効率をより高めることができる。
【発明を実施するための最良の形態】
【００２５】
第１の実施の形態
以下、本発明の第１の実施の形態について、図１乃至図５および図８乃至図１０を参照して説明する。
【００２６】
ここで、図１は、本発明の第１の実施の形態を示す正面図である。また、図２（ａ）は、清掃手段がロープに接触していない場合におけるロープ清掃治具の下面図であり、図２（ｂ）は、清掃手段がロープに接触している場合におけるロープ清掃治具の下面図である。また、図３（ａ）（ｂ）は、スクレーパがロープに摺接していない場合におけるロープ清掃治具を示す図であり、図３（ｃ）（ｄ）は、スクレーパがロープに摺接している場合におけるロープ清掃治具を示す図である。また、図４（ａ）は、清掃手段を取り外した場合における清掃手段および固定ブラケットを示す下面図であり、図４（ｂ）は、清掃手段を取り付けた場合における清掃手段および固定ブラケットを示す下面図である。また、図４（ｃ）は、清掃手段を取り付けた場合における清掃手段および固定ブラケットを示す正面図であり、図４（ｄ）は、清掃手段を取り付けた場合における清掃手段および固定ブラケットを示す側面図である。また、図５は、ガバナ（調速機）本体に取り付けられたロープ清掃治具を示す図であり、図８は、おもりガイドレールに取り付けられたロープ清掃治具を示す図である。また、図９（ａ）（ｂ）（ｃ）は、ロープ清掃治具がガバナ（調速機）本体に取り付けられている場合におけるロープ清掃治具の作用を示す図であり、図１０（ａ）（ｂ）（ｃ）は、ロープ清掃治具が昇降路のピット内に取り付けられている場合におけるロープ清掃治具の作用を示す図である。
【００２７】
まず、図１および図２（ａ）（ｂ）により本実施の形態によるロープ清掃治具の概略について説明する。
図１および図２（ａ）（ｂ）に示すように、ロープ清掃治具２２は、昇降路４１内を昇降するエレベータの乗りかご４２に連結された、例えばガバナロープ等からなるロープ２１を清掃するためのものである。このロープ清掃治具２２は、清掃治具取付ブラケット２７を介して昇降路４１内の固定構造物（例えばガバナ本体２８）に固定された治具本体２９と、治具本体２９に放射状に取り付けられ、それぞれがロープ２１に接触してロープ２１を清掃する少なくとも３つ（本実施の形態においては４つ）のブラシ（清掃手段）２３とを備えている。
【００２８】
このうち治具本体２９は、例えば清掃治具取付ブラケット２７を介して昇降路４１内の固定構造物（例えばガバナ本体２８）に固定されたブラケット取付部材２４と、ブラケット取付部材２４にブラケット固定ボルト２５ａを介して取り付けられ、一対のブラシ２３がブラシホルダー２５ｂを介して固定された固定ブラケット２５とを有している。このうち固定ブラケット２５は、図２（ａ）（ｂ）に示すように、ブラケット取付部材２４の長穴２４ａと、固定ブラケット２５のホルダー固定ボルト２５ｃとからなる距離調整機構を介して、ブラケット取付部材２４に対して移動可能に取り付けられている。これにより、一対のブラシ２３とロープ２１との間の距離を調整可能となっている。
【００２９】
また、図２（ａ）（ｂ）に示すように、ブラシ２３は、固定ブラケット２５に、各ブラシ２３を挟み込むブラシホルダー（締結部材）２５ｂを介して突出自在にそれぞれ２つずつ固定されている（後述）。各ブラシ２３は、各固定ブラケット２５上で、互いに約９０度の角度をなして配置されている。
【００３０】
さらに、グリース屑を除去するスクレーパ（グリース屑除去機構）２６が、ブラシ２３の上下方向にそれぞれ配置された状態で治具本体２９に固定されている。このスクレーパ２６は、穴２６ｂ内を通過するロープ２１に摺接してロープ２１のグリース屑を除去するものである。
【００３１】
すなわち、図３（ａ）（ｂ）（ｃ）（ｄ）に示すように、スクレーパ２６（グリース屑除去機構）は、スクレーパ固定ボルト２６ａによりブラケット取付部材２４に取り付けられている。また、スクレーパ２６は、ロープ２１の直径に対応する大きさの穴２６ｂを有している。また、スクレーパ２６（グリース屑除去機構）は、摩耗特性や摩擦特性に優れた材料、例えば超高分子量ポリエチレン等の合成樹脂からなる一対の単位グリース屑除去部材２６ｃ、２６ｄを有している。この一対の単位グリース屑除去部材２６ｃ、２６ｄは、互いに同一の形状を有しており、それぞれ左右に配置されている。
【００３２】
図３（ａ）（ｂ）（ｃ）（ｄ）に示すように、これら一対の単位グリース屑除去部材２６ｃ、２６ｄは、それぞれ、ロープ２１に摺接する箇所において互いに重なり合う突出部２６ｅ、２６ｆを有している。すなわち、単位グリース屑除去部材２６ｃ、２６ｄは、互いに合欠構造となっている。また、一対の単位グリース屑除去部材２６ｃ、２６ｄは、清掃するロープ２１の直径程度の大きさからなるＵ字状の切欠部２６ｈ、２６ｉと、スクレーパ固定ボルト２６ａを取り付ける長穴２６ｇとを有している。これら一対の単位グリース屑除去部材２６ｃ、２６ｄは、互いにＵ字状の切欠部２６ｈ、２６ｉを向い合わせて配置されている。すなわち、切欠部２６ｈ、２６ｉは、単位グリース屑除去部材２６ｃ、２６ｄの突出部２６ｅ、２６ｆが互いに重ね合わされた場合に、上述した穴２６ｂを形成する。
【００３３】
さらに、スクレーパ２６とロープ２１との間の距離を、単位グリース屑除去部材２６ｃ、２６ｄの長穴２６ｇと、スクレーパ固定ボルト２６ａとにより調整することができるようになっている。
【００３４】
次に、図４（ａ）（ｂ）（ｃ）（ｄ）を用いて、上述したブラシ２３および固定ブラケット２５について更に詳述する。図４（ａ）（ｂ）（ｃ）（ｄ）において、ロープを清掃する場合、ブラシ２３は、直径０．５〜１．５ｍｍ程度の縮れたステンレス鋼線からなる毛材２３ａと、毛材２３ａをかしめて固定する鋼板２３ｂとを有している。また、ブラシ２３は、固定ブラケット２５とブラシホルダー２５ｂとの間においてかしめ部分である鋼板２３ｂが挟まれることにより、固定ブラケット２５に固定されている。これにより、ロープ２１方向へのブラシ２３の出し代が調整可能となっている。なお、ブラシ２３の毛材２３ａの径が太いと素線間のグリスが効率よくかきとれない場合もある。また、ブラシ２３の毛材２３ａの径が細いと素線と素線の間に毛材２３ａが挟まりロープにグリスが残留する場合もある。そのため、素線径にあったブラシ毛材（径、材質）を選定することが効率良い清掃をする前提となる。
【００３５】
すなわち、ブラシ２３を交換する場合、固定ブラケット２５とブラシホルダー２５ｂとを締結するホルダー固定ボルト２５ｃを緩め、ロープ２１方向に向けてブラシ２３を取り外すことができるようになっている。また、ロープ２１方向から、ブラシ２３を固定ブラケット２５に取り付けることができるようになっている。同様に、上述したホルダー固定ボルト２５ｃを緩め、ブラシ２３をロープ２１方向に前後に移動することにより、ブラシ２３の位置を微調整することができる。
【００３６】
ところで、図５において、ロープ清掃治具２２は、ガバナ本体２８からなる固定構造物に取り付けられている。この場合、ロープ清掃治具２２は、ブラケット取付部材２４に取り付けられた清掃治具取付ブラケット２７を介してガバナ本体２８に固定されている。
【００３７】
なお、ロープ清掃治具２２を取り付ける箇所は、昇降路内壁４１ａ、または昇降路４１内の固定構造物であれば良く、上述したガバナ本体２８には限られない。すなわち、清掃治具取付ブラケット２７の形状を種々変更することにより、昇降路４１内の他の固定構造物に取り付けることもできる。
【００３８】
例えば、図８に示すように、昇降路４１内において、ロープ清掃治具２２を、清掃治具取付ブラケット２７を介して釣合いおもり４３の昇降をガイドするおもりガイドレール４４に取り付けてもよい。他方、ロープ清掃治具２２を、乗りかご４２の昇降をガイドする乗りかご用ガイドレール４５に取り付けることもできる。
【００３９】
次に、このような構成からなる本実施の形態の作用について述べる。
図５に示すように、例えばエレベータのメンテナンス時など、ロープ２１を清掃しようとする場合、ロープ清掃治具２２のブラケット取付部材２４を清掃治具取付ブラケット２７に取り付け、更に清掃治具取付ブラケット２７をガバナ本体２８に取り付ける。これにより、ロープ清掃治具２２は、清掃治具取付ブラケット２７を介してガバナ本体２８に固定される。次に、エレベータを運転して乗りかご４２を乗りかご用ガイドレール４５に沿って昇降させると、これと連動してロープ２１も上下に移動する。
【００４０】
この場合、ロープ清掃治具２２のブラシ２３はロープ２１に接触しているが、ロープ清掃治具２２がガバナ本体２８に固定されているので、ロープ２１が上下に移動してもブラシ２３の位置は変わらない。したがって、ロープ２１が上下に移動することにより、定位置にあるブラシ２３がロープ２１に摺接してロープ２１を清掃する。これにより、ロープ２１に付着した塵埃やグリース屑を効果的に除去することができる。また、４つのブラシ２３がロープ２１の清掃箇所に対して４方向から摺接するので、ロープ２１の水平方向の略全周を清掃することができる。
【００４１】
次に、図９（ａ）（ｂ）（ｃ）および図１０（ａ）（ｂ）（ｃ）を用いて、ロープ清掃治具２２が、ガバナロープからなるロープ２１を清掃する場合について具体的に説明する。
【００４２】
図９（ａ）（ｂ）（ｃ）および図１０（ａ）（ｂ）（ｃ）において、エレベータの機械室４８内にガバナ本体２８が設置されている。また、昇降路４１内下部に張り車４７が設けられ、ガバナ本体２８と張り車４７間に、ガバナロープからなるロープ２１がエンドレス状に掛けられている。また、ロープ２１の１箇所（符号２１ａ）が、乗りかご４２の側部に固定されている。
【００４３】
まず、図９（ａ）（ｂ）（ｃ）を用いて、ロープ清掃治具２２がガバナ本体２８に取り付けられている場合について説明する。
図９（ａ）において、乗りかご４２は最上階に停止している。次に、乗りかご４２が下方に向けて移動を開始する（図９（ｂ））。この際ロープ２１は、乗りかご４２と連動して図９（ｂ）における時計回り方向へ回転する。この場合、ロープ清掃治具２２内においてロープ２１が上昇するので、ロープ清掃治具２２のブラシ２３により、ロープ２１の一部２１ｂが清掃される。その後、図９（ｃ）に示すように、乗りかご４２は最下階に停止する。このようにして、ロープ２１のうち略半分の長さの部分を清掃することができる。
【００４４】
次に、図１０（ａ）（ｂ）（ｃ）を用いて、ロープ清掃治具２２が昇降路４１のピット内に取り付けられている場合について説明する。
図１０（ａ）において、乗りかご４２は最上階に停止している。次に、乗りかご４２が下方に向けて移動を開始する（図１０（ｂ））。この際ロープ２１は、乗りかご４２と連動して図１０（ｂ）における時計回り方向へ回転する。この場合、ロープ清掃治具２２内においてロープ２１が上昇するので、ロープ清掃治具２２のブラシ２３により、ロープ２１の一部２１ｃが清掃される。その後、図１０（ｃ）に示すように、乗りかご４２は最下階に停止する。このようにして、ロープ２１のうち略半分の長さの部分を清掃することができる。すなわち、ロープ２１のうち、ロープ清掃治具２２がガバナ本体２８に取り付けられている場合（上述した図９（ａ）（ｂ）（ｃ）に示す場合）に清掃することができなかった残りの部分を清掃することができる。
【００４５】
ところで、上述したように、ブラシ２３のロープ２１方向への出し代が調整可能となっているので、ブラシ２３の毛材２３ａが使用後に倒れた際など、各ブラシ２３とロープ２１との距離および角度を調整することができる。
【００４６】
また、上述したように、固定ブラケット２５は、ブラケット取付部材２４に対してブラケット取付部材２４の長穴２４ａと、固定ブラケット２５のホルダー固定ボルト２５ｃとからなる距離調整機構を介して移動可能に取り付けられているので、ブラシ２３のロープ２１に対する押付圧を調整することができる。
【００４７】
さらに、ブラシ２３により掻き取られたグリース屑によりブラシ２３が目詰まりした場合にも、ブラケット固定ボルト２５ａと、固定ブラケット２５のホルダー固定ボルト２５ｃとを緩めることにより、容易にブラシ２３を交換することができる。
【００４８】
また、スクレーパ２６は、上述したように、ロープ２１が上下に移動する際、ブラシ２３により除去されてロープ２１から離れたグリース屑が、ロープ２１に再付着することを防止するためのものである。このスクレーパ２６がブラシ２３の上下両方に設けられていることにより、ロープ２１の進行方向が上下いずれであっても、ロープ２１からのグリース屑がロープ２１に再付着することを確実に防止することができる。
【００４９】
上述のように、スクレーパ２６もブラシ２３と同様、スクレーパ２６とロープ２１との間の距離を、長穴２６ｇとスクレーパ固定ボルト２６ａとにより調整可能となっている。これにより、ロープ２１に対するスクレーパ２６の押付位置、押付角度、あるいは押付強度を調整することができる。
【００５０】
このように、本実施の形態によれば、４つのブラシ２３が治具本体２９に放射状に取り付けられ、それぞれがロープ２１に接触してロープ２１を清掃するので、ブラシ２３とロープ２１の接触面積を大きくして清掃面積を大きくすることができ、これにより、ロープ２１の清掃効率が高められるとともに清掃時間を短くすることができる。
【００５１】
また、本実施の形態によれば、固定ブラケット２５とロープ２１との間の距離を長穴２４ａとホルダー固定ボルト２５ｃとからなる距離調整機構により調整することにより、ブラシ２３とロープ２１との間の距離を調整することができる。
【００５２】
さらに、本実施の形態によれば、ブラシ２３は、固定ブラケット２５にブラシ２３を挟み込むブラシホルダー（締結部材）２５ｂを介して固定されているので、ブラシ２３の脱着や調整を容易に行うことができる。
【００５３】
さらにまた、本実施の形態によれば、スクレーパ２６（グリース屑除去機構）により、ブラシ２３により除去されたグリース屑がロープ２１に再付着することを防止することができる。
【００５４】
さらにまた、本実施の形態によれば、スクレーパ２６（グリース屑除去機構）は、合成樹脂からなる一対の単位グリース屑除去部材２６ｃ、２６ｄを有し、各単位グリース屑除去部材２６ｃ、２６ｄは、ロープ２１に摺接する箇所において互いに重なり合う突出部２６ｅ、２６ｆを有するので、スクレーパ２６の穴２６ｂ内をグリース屑が通過することを大幅に減少させることができる。
【００５５】
第２の実施の形態
次に、本発明の第２の実施の形態について図６および図７を参照して説明する。
ここで、図６および図７は、本発明の第２の実施の形態を示す正面図である。図６および図７に示す第２の実施の形態は、治具本体がロープの上下方向に沿って複数多段に設けられている点が異なるものであり、他の構成や作用効果は上述した第１の実施の形態と略同一である。図６および図７において、図１乃至図５および図８乃至図１０に示す第１の実施の形態と同一部分には同一の符号を付して詳細な説明は省略する。
【００５６】
まず、図６により本実施の形態によるロープ清掃治具の概略について説明する。
図６に示すように、ロープ清掃治具３０は、ロープ２１の上下方向に沿って複数多段に設けられた治具本体２９を有している（図６においては３段）。各治具本体２９は、それぞれがロープ２１に接触してロープ２１を清掃する少なくとも３つ（図６においては４つ）のブラシ（清掃手段）２３を有し、また、これらのブラシ２３はそれぞれ互いに放射状に配置されている。
【００５７】
図６において、ロープ清掃治具３０は、３段に設けられた治具本体２９の上部および下部に、それぞれスクレーパ２６（グリース屑除去機構）を有している。他方、スクレーパ２６は、多段に設けられた各治具本体２９間にそれぞれ設けられていても良い。
【００５８】
また、図７に示すように、ロープ清掃治具３０は、図１乃至図５に示す１段のロープ清掃治具２２を、清掃治具連結ブラケット３１を介して多段（図７においては２段）に連結することにより構成されたものであっても良い。
【００５９】
このように、本実施の形態によれば、治具本体２９は、ロープ２１の上下方向に沿って複数多段に設けられていることにより、ロープ２１の清掃効率をより高めることができる。すなわち、全体のブラシ長さをより長くすることができるので、ロープ２１の条長が長い場合にも、短時間でロープ２１を清掃することができる。
【図面の簡単な説明】
【００６０】
【図１】図１は、本発明によるロープ清掃治具の第１の実施の形態を示す正面図。
【図２】図２（ａ）（ｂ）は、ロープ清掃治具の下面図。
【図３】図３（ａ）（ｂ）（ｃ）（ｄ）は、ロープ清掃治具を示す図。
【図４】図４（ａ）（ｂ）（ｃ）（ｄ）は、清掃手段および固定ブラケットを示す図。
【図５】図５は、ガバナ（調速機）本体に取り付けられたロープ清掃治具を示す図。
【図６】図６は、本発明によるロープ清掃治具の第２の実施の形態を示す正面図。
【図７】図７は、本発明によるロープ清掃治具の第２の実施の形態を示す正面図。
【図８】図８は、おもりガイドレールに取り付けられたロープ清掃治具を示す図。
【図９】図９（ａ）（ｂ）（ｃ）は、ロープ清掃治具がガバナ（調速機）本体に取り付けられている場合におけるロープ清掃治具の作用を示す図。
【図１０】図１０（ａ）（ｂ）（ｃ）は、ロープ清掃治具が昇降路のピット内に取り付けられている場合におけるロープ清掃治具の作用を示す図。
【図１１】図１１は、従来のエレベータロープのメンテナンス装置を示す図。
【符号の説明】
【００６１】
１          ロープ本体
２          メンテナンス装置
３          エレベータ構成体
４          支持台
５          清掃体
６          付勢部材
２１        ロープ
２２        ロープ清掃治具
２３        ブラシ（清掃手段）
２３ａ      毛材
２３ｂ      鋼板
２４        ブラケット取付部材
２４ａ      長穴
２５        固定ブラケット
２５ａ      ブラケット固定ボルト
２５ｂ      ブラシホルダー
２５ｃ      ホルダー固定ボルト
２６        スクレーパ（グリース屑除去機構）
２６ａ      スクレーパ固定ボルト
２６ｂ      穴
２６ｃ、２６ｄ  単位グリース屑除去部材
２６ｅ、２６ｆ  突出部
２６ｇ      長穴
２６ｈ、２６ｉ  切欠部
２７        清掃治具取付ブラケット
２８        ガバナ（調速機）本体
２９        治具本体
３０        ロープ清掃治具
３１        清掃治具連結ブラケット
４１        昇降路
４１ａ      昇降路内壁
４２        乗りかご
４３        釣合いおもり
４４        おもりガイドレール
４５        乗りかご用ガイドレール
【図１】
2008110829.tif 000003
【図２】
2008110829.tif 000004
【図３】
2008110829.tif 000005
【図４】
2008110829.tif 000006
【図５】
2008110829.tif 000007
【図６】
2008110829.tif 000008
【図７】
2008110829.tif 000009
【図８】
2008110829.tif 000010
【図９】
2008110829.tif 000011
【図１０】
2008110829.tif 000012
【図１１】
2008110829.tif 000013